(57)【要約】【課題】簡便な構成で操作者が容易に液流路の洗浄・消毒作業を行うことができる透析液供給装置を提供する。【解決手段】透析液供給装置１００の透析液に接する接液部を洗浄・消毒する洗浄・消毒剤を、希釈液が通流するＲＯ水管１３の中に投入する洗浄剤投入機構３０を備え、洗浄剤投入機構３０は、洗浄・消毒剤を収容した洗浄剤容器３１と、洗浄剤容器３１の入口管３２と、洗浄剤容器３１の出口管３３とが連通して１つの液体流路を形成するように、入口管３２と出口管３３との間に洗浄剤容器３１を挟み込む。【選択図】図１
2018201532.tif 000002
【特許請求の範囲】
【請求項１】
薬剤と希釈液とを混合して透析液を生成し、前記透析液を透析装置に供給する透析液供給装置であって、
前記透析液供給装置の前記透析液に接する接液部を洗浄・消毒する洗浄・消毒剤を、前記希釈液が通流する配管の中に投入する洗浄剤投入機構を備え、
前記洗浄剤投入機構は、前記洗浄・消毒剤を収容した洗浄剤容器と、前記洗浄剤容器の一端側の配管と、前記洗浄剤容器の他端側の配管とが連通して１つの液体流路を形成するように、前記一端側の配管と前記他端側の配管との間に前記洗浄剤容器を挟み込む透析液供給装置。
【請求項２】
請求項１に記載の透析液供給装置であって、
根元側が前記一端側の配管に接続され、先端側が前記洗浄剤容器の一端側に突出する上首部の外周に水密に嵌り込む環状の上コネクタと、
前記上コネクタと同軸に配置され、根元側が前記他端側の配管に接続され、先端側が前記洗浄剤容器の他端側に突出する下首部の外周に水密に嵌り込む環状の下コネクタと、
前記上または下コネクタのいずれか一方または両方を前記洗浄剤容器の長手方向に沿って移動させるコネクタ移動機構と、を備え、
前記各コネクタは、その環状中心近傍に前記各首部の各端面をそれぞれシールするシール部材を貫通するノズルを備える透析液供給装置。
【請求項３】
薬剤と希釈液とを混合して透析液を生成し、前記透析液を透析装置に供給する透析液供給装置であって、
前記薬剤を前記希釈液が通流する配管の中に投入する薬剤投入機構を備え、
前記薬剤投入機構は、
前記薬剤を収容した薬剤容器と、前記薬剤容器の一端側の配管と、前記薬剤容器の他端側の配管とが連通して１つの液体流路を形成するように、前記一端側の配管と前記他端側の配管との間に前記薬剤容器を挟み込み可能であると共に、前記薬剤容器に代えて、前記透析液供給装置の前記透析液に接する接液部を洗浄・消毒する洗浄・消毒剤を収容した洗浄剤容器を前記一端側の配管と前記他端側の配管との間に挟み込み可能である透析液供給装置。
【請求項４】
請求項３に記載の透析液供給装置であって、
前記薬剤投入機構は、
根元側が前記一端側の配管に接続され、先端側が前記薬剤容器の一端側に突出する第１首部の第１外周に水密に嵌り込む第１嵌合部と、前記洗浄剤容器の一端側に突出する第２首部の第２外周に水密に嵌り込む第１嵌合部と形状の異なる第２嵌合部と、を含む環状の第１コネクタと、
前記第１コネクタと同軸に配置され、根元側が前記他端側の配管に接続され、先端側が前記薬剤容器の他端側に突出する第３首部の第３外周に水密に嵌り込む第３嵌合部と、前記洗浄剤容器の他端側に突出する第４首部の第４外周に水密に嵌り込む第３嵌合部と形状の異なる第４嵌合部と、を含む環状の第２コネクタと、
前記第１または第２コネクタのいずれか一方または両方を前記薬剤容器または前記洗浄剤容器の長手方向に沿って移動させるコネクタ移動機構と、を備え、
前記第１、第２コネクタは、その環状中心近傍に前記各首部の各端面をそれぞれシールするシール部材を貫通するノズルを備える透析液供給装置。
【請求項５】
請求項４に記載の透析液供給装置であって、
前記第１コネクタの前記第２嵌合部は、その内径が前記第１嵌合部よりも大きく、前記第１嵌合部よりも前記第１コネクタの前記先端側に配置されており、
前記第２コネクタの前記第４嵌合部は、その内径が前記第３嵌合部よりも大きく、前記第３嵌合部よりも前記第２コネクタの前記先端側に配置されている透析液供給装置。
【請求項６】
請求項３から５のいずれか１項に記載の透析液供給装置であって、
少なくとも１つの前記薬剤容器と少なくとも１つの前記洗浄剤容器とを保持するストレージ部と、
前記ストレージ部からいずれか１つの容器を前記第１コネクタと前記第２コネクタとの間に移送する送り機構と、を備える透析液供給装置。
【請求項７】
請求項６に記載の透析液供給装置であって、
前記ストレージ部は、前記薬剤容器を保持する第１穴と、前記洗浄剤容器を保持する第１穴と形状の異なる第２穴と、を備える透析液供給装置。
【発明の詳細な説明】
【技術分野】
【０００１】
本発明は、透析液供給装置の構造に関する。
【背景技術】
【０００２】
従来から複数の薬剤及び希釈液（例えば水）を混合して透析液を生成し、透析装置に供給する透析液供給装置が用いられている。このような透析液供給装置としては、二種類のパウダー状の薬剤の入ったバッグに所定量の水を導入してバッグ内のパウダーを溶解して透析液を生成した後、透析液を容器に貯留しておき、容器に貯留した透析液を吸引チューブで吸引して透析回路に供給する装置（例えば、特許文献１参照）や、薬剤が収容されたカートリッジを装置のホルダに装着し、このカートリッジに計量した水を注入して所定濃度の透析液を作るものが用いられている（例えば、特許文献２参照）。
【０００３】
このような、透析液供給装置の液流路は、透析終了後に次亜塩素酸ナトリウム溶液や酢酸系溶液等の洗浄・消毒剤によって洗浄・消毒することが必要である。例えば、特許文献１に記載された装置では、装置内を空にした後、容器に殺菌剤を投入し、ポンプによってシステム全体に殺菌剤を循環させて液流路の洗浄を行うようにしている。また、特許文献２に記載されたような透析液供給装置では、薬液ボトルから薬液吸引ラインと薬液吸引ポンプを用いて薬液ボトル内の洗浄・消毒剤を配管内に注入し、薬剤カートリッジをバイパスする配管を用いて液流路に洗浄・消毒剤を循環させ液流路の洗浄を行うことが多い。
【先行技術文献】
【特許文献】
【０００４】
【特許文献１】特許第５３５２４５３号明細書
【特許文献２】特許第３８４８３７１号明細書
【発明の概要】
【発明が解決しようとする課題】
【０００５】
ところで、特許文献１，２に記載されているような透析液供給装置では、原液或いは規定濃度の洗浄・消毒剤を別容器から装置内の容器或いは、薬液ボトルに移し替えることが必要となる。この際、操作者は、洗浄・消毒剤に接触しないように慎重に作業する必要があり、装置の洗浄・消毒作業に時間と手間が掛ってしまうという問題があった。また、洗浄・消毒剤を注入する為の専用の配管、弁等が必要となり、装置が複雑化してしまうという問題があった。
【０００６】
そこで、本発明は、簡便な構成で操作者が容易に液流路の洗浄・消毒作業を行うことができる透析液供給装置を提供することを目的とする。
【課題を解決するための手段】
【０００７】
本発明の透析液供給装置は、薬剤と希釈液とを混合して透析液を生成し、前記透析液を透析装置に供給する透析液供給装置であって、前記透析液供給装置の前記透析液に接する接液部を洗浄・消毒する洗浄・消毒剤を、前記希釈液が通流する配管の中に投入する洗浄剤投入機構を備え、前記洗浄剤投入機構は、前記洗浄・消毒剤を収容した洗浄剤容器と、前記洗浄剤容器の一端側の配管と、前記洗浄剤容器の他端側の配管とが連通して１つの液体流路を形成するように、前記一端側の配管と前記他端側の配管との間に前記洗浄剤容器を挟み込むことを特徴とする。
【０００８】
本発明の透析液供給装置において、根元側が前記一端側の配管に接続され、先端側が前記洗浄剤容器の一端側に突出する上首部の外周に水密に嵌り込む環状の上コネクタと、前記上コネクタと同軸に配置され、根元側が前記他端側の配管に接続され、先端側が前記洗浄剤容器の他端側に突出する下首部の外周に水密に嵌り込む環状の下コネクタと、前記上または下コネクタのいずれか一方または両方を前記洗浄剤容器の長手方向に沿って移動させるコネクタ移動機構と、を備え、前記各コネクタは、その環状中心近傍に前記各首部の各端面をそれぞれシールするシール部材を貫通するノズルを備えることとしても好適である。
【０００９】
本発明の透析液供給装置は、薬剤と希釈液とを混合して透析液を生成し、前記透析液を透析装置に供給する透析液供給装置であって、前記薬剤を前記希釈液が通流する配管の中に投入する薬剤投入機構を備え、前記薬剤投入機構は、前記薬剤を収容した薬剤容器と、前記薬剤容器の一端側の配管と、前記薬剤容器の他端側の配管とが連通して１つの液体流路を形成するように、前記一端側の配管と前記他端側の配管との間に前記薬剤容器を挟み込み可能であると共に、前記薬剤容器に代えて、前記透析液供給装置の前記透析液に接する接液部を洗浄・消毒する洗浄・消毒剤を収容した洗浄剤容器を前記一端側の配管と前記他端側の配管との間に挟み込み可能であることを特徴とする。
【００１０】
本発明の透析液供給装置において、前記薬剤投入機構は、根元側が前記一端側の配管に接続され、先端側が前記薬剤容器の一端側に突出する第１首部の第１外周に水密に嵌り込む第１嵌合部と、前記洗浄剤容器の一端側に突出する第２首部の第２外周に水密に嵌り込む第１嵌合部と形状の異なる第２嵌合部と、を含む環状の第１コネクタと、前記第１コネクタと同軸に配置され、根元側が前記他端側の配管に接続され、先端側が前記薬剤容器の他端側に突出する第３首部の第３外周に水密に嵌り込む第３嵌合部と、前記洗浄剤容器の他端側に突出する第４首部の第４外周に水密に嵌り込む第３嵌合部と形状の異なる第４嵌合部と、を含む環状の第２コネクタと、前記第１または第２コネクタのいずれか一方または両方を前記薬剤容器または前記洗浄剤容器の長手方向に沿って移動させるコネクタ移動機構と、を備え、前記第１、第２コネクタは、その環状中心近傍に前記各首部の各端面をそれぞれシールするシール部材を貫通するノズルを備えることとしても好適である。
【００１１】
本発明の透析液供給装置において、前記第１コネクタの前記第２嵌合部は、その内径が前記第１嵌合部よりも大きく、前記第１嵌合部よりも前記第１コネクタの前記先端側に配置されており、前記第２コネクタの前記第４嵌合部は、その内径が前記第３嵌合部よりも大きく、前記第３嵌合部よりも前記第２コネクタの前記先端側に配置されていることとしても好適である。
【００１２】
本発明の透析液供給装置において、少なくとも１つの前記薬剤容器と少なくとも１つの前記洗浄剤容器とを保持するストレージ部と、前記ストレージ部からいずれか１つの容器を前記第１コネクタと前記第２コネクタとの間に移送する送り機構と、を備えることとしても好適である。
【００１３】
本発明の透析液供給装置において、前記ストレージ部は、前記薬剤容器を保持する第１穴と、前記洗浄剤容器を保持する第１穴と形状の異なる第２穴と、を備えることとしても好適である。
【発明の効果】
【００１４】
本発明は、簡便な構成で操作者が容易に液流路の洗浄・消毒作業を行うことができる透析液供給装置を提供することができる。
【図面の簡単な説明】
【００１５】
【図１】本発明の実施形態における透析液供給装置の構成を示す系統図である。
【図２】本発明の実施形態における透析液供給装置に用いる洗浄剤容器、薬剤容器を示す断面図である。
【図３】図１に示す透析液供給装置の洗浄剤投入機構の構成を示す断面図である。
【図４】図３に示す洗浄剤投入機構に洗浄剤容器を取り付けた状態示す断面図である。
【図５】図３に示す洗浄剤投入機構に洗浄剤容器を取り付けて図１に示す透析液供給装置の接液部を洗浄する際の洗浄・消毒液の流れを示す図である。
【図６】図３に示す洗浄剤投入機構に洗浄剤容器を取り付けて図１に示す透析液供給装置の接液部を洗浄する際の洗浄・消毒液の他の流れを示す図である。
【図７】本発明の実施形態における他の透析液供給装置の構成を示す系統図である。
【図８】図７に示す洗浄剤投入機構に洗浄剤容器を取り付けて図７に示す透析液供給装置の接液部を洗浄する際の洗浄・消毒液の流れを示す図である。
【図９】図７に示す洗浄剤投入機構に洗浄剤容器を取り付けて図７に示す透析液供給装置の接液部を洗浄する際の洗浄・消毒液の他の流れを示す図である。
【図１０】本発明の実施形態における他の透析液供給装置の構成を示す系統図である。
【図１１】図１０に示す透析液供給装置の薬剤投入機構の構成を示す断面図である。
【図１２Ａ】図１１に示す薬剤投入機構のストレージ部の上円板を示す平面図である。
【図１２Ｂ】図１１に示す薬剤投入機構のストレージ部の下円板を示す平面図である。
【図１３】図１１に示す薬剤投入機構の第１、第２コネクタの構造を示す断面図である。
【図１４】図１３に示す第１、第２コネクタに薬剤容器を取り付けた状態示す断面図である。
【図１５】図１３に示す第１、第２コネクタに洗浄剤容器を取り付けた状態示す断面図である。
【図１６】図１５に示す第１、第２コネクタ間に洗浄剤容器を取り付けて図１０に示す透析液供給装置の接液部を洗浄する際の洗浄・消毒液の流れを示す図である。
【図１７】図１５に示す第１、第２コネクタの間に洗浄剤容器を取り付けて図１０に示す透析液供給装置の接液部を洗浄する際の洗浄・消毒液の他の流れを示す図である。
【図１８】本発明の実施形態における他の透析液供給装置の構成を示す系統図である。
【図１９】薬剤投入機構に洗浄剤容器を取り付けて図１８に示す透析液供給装置の接液部を洗浄する際の洗浄・消毒液の流れを示す図である。
【図２０】薬剤投入機構に洗浄容器を取り付けて図１８に示す透析液供給装置の接液部を洗浄する際の洗浄・消毒液の他の流れを示す図である。
【発明を実施するための形態】
【００１６】
以下、図面を参照しながら本発明の実施形態の透析液供給装置１００について説明する。透析液供給装置１００は、タンク１５に所定濃度の透析液を生成、貯留し、貯留した透析液を透析装置９６に供給するバッチ式の透析液供給装置である。図１に示すように、透析液供給装置１００は、水道等の水の供給源から水を供給する水供給ポンプ１１と、逆浸透膜（ＲＯ膜）等を用いて純度の高いＲＯ水を生成するＲＯ装置１２と、透析液生成用の薬剤を希釈液であるＲＯ水の中に投入する薬剤投入機構６０と、透析液に接する接液部を洗浄・消毒する洗浄・消毒剤をＲＯ水の中に投入する洗浄剤投入機構３０と、生成した透析液を貯留するタンク１５と、タンク１５の透析液を透析装置９６に送り出す送液ポンプ７０と、透析装置９６に送る透析液を加温するヒータ７２と、各機器を接続する配管、弁、温度センサ７４、流量センサ７５、８３と、透析装置９６の透析液入口９１、透析液出口９２にそれぞれ接続されるカプラ８１，８２と、を含んでいる。ダイアライザ９０と透析液入口９１との間には、透析液を透析装置９６のダイアライザ９０に注入する透析液注入ポンプ９７ａ（透析液ＩＮポンプ）が配置され、ダイアライザ９０と透析液出口９２との間にはダイアライザ９０から透析液を排出する透析液排出ポンプ９７ｂ（透析液ＯＵＴポンプ）が配置されている。また、患者の血液は血液ポンプ９７ｃによって動脈から血液入口管９３を経てダイアライザ９０の血液入口に流入し、ダイアライザ９０の血液出口管９４から患者の静脈に戻る。
【００１７】
図１に示すように、水供給ポンプ１１とＲＯ装置１２とは水供給管１０で接続され、ＲＯ装置１２と薬剤投入機構６０、洗浄剤投入機構３０とはＲＯ水管１３で接続され、薬剤投入機構６０、洗浄剤投入機構３０とタンク１５とは薬剤投入管１４で接続され、タンク１５と送液ポンプ７０との間はポンプ吸込み管１６で接続され、送液ポンプ７０とヒータ７２とはヒータ入口管７１で接続され、ヒータ７２と弁７７との間は透析液供給管７３で接続され、弁７７とカプラ８１との間は接続管７６で接続されている。カプラ８２には、透析液排出管８０が接続されている。透析液供給管７３とＲＯ水管１３との間は、再循環管７８で接続されており、再循環管７８には弁７９が配置されている。透析液供給管７３には透析装置９６に供給する透析液の温度、流量を検出する温度センサ７４、流量センサ７５が取り付けられており、透析液排出管８０には、透析装置９６から排出された透析液の流量を検出する流量センサ８３が取り付けられている。また、本実施形態の透析液供給装置１００には、オプションとして図１に破線で示すように、透析液排出管８０に、もう一つの洗浄剤投入機構１３０が配置され、透析液排出管８０とＲＯ水管１３とはもう一つの再循環管１７８によって接続されており、再循環管１７８には弁１７９が配置されている。
【００１８】
薬剤投入機構６０は、希釈液であるＲＯ水が導入される入口管６２と、根元が入口管６２に接続されて先端が薬剤容器６１の一端に嵌まり込む上コネクタ６６ａと、薬剤投入管１４に接続される出口管６３と、根元が出口管６３に接続されて先端が薬剤容器６１の他端に嵌まり込む下コネクタ６６ｂと、入口管６２、出口管６３にそれぞれ配置される弁６４、６５によって構成されている。また、洗浄剤投入機構３０は、希釈液であるＲＯ水が導入される入口管３２と、根元が入口管６２に接続されて先端が洗浄剤容器３１の一端に嵌まり込む上コネクタ３６ａと、薬剤投入管１４に接続される出口管３３と、根元が出口管３３に接続されて先端が洗浄剤容器３１の他端に嵌まり込む下コネクタ３６ｂと、入口管３２、出口管３３にそれぞれ配置される弁３４、３５によって構成されている。
【００１９】
透析液として重炭酸透析液を用いる場合、透析液は、Ａ剤、Ｂ剤の二つの薬剤を混合・希釈して生成される。ここで、Ａ剤は、電解質成分（例えば塩化ナトリウム、塩化カリウム、塩化カルシウム、塩化マグネシウム、酢酸ナトリウム）や、ｐＨ調整剤（例えば酢酸）、糖（例えばグルコース）等を含む薬剤である。また、Ｂ剤は、重炭酸ナトリウム等を含む薬剤である。薬剤投入機構６０は、１回の透析液生成に必要な量のＡ剤またはＢ剤が充填された薬剤容器６１を各コネクタ６６ａ，６６ｂの間に取り付けることができる。Ａ剤およびＢ剤は、粉末状態や錠剤状態でもよいし、少量の希釈液で溶解した濃縮液状態でもよい。また、洗浄・消毒剤としては、次亜塩素酸ナトリウム溶液や酢酸系溶液等が用いられる。洗浄剤投入機構３０は、１回の洗浄・消毒に必要な洗浄剤或いは消毒剤が充填された洗浄剤容器３１を各コネクタ３６ａ，３６ｂの間に取り付けることができる。これらの洗浄・消毒剤も粉末状態や錠剤状態でもよいし、少量の希釈液で溶解した濃縮液状態でもよい。
【００２０】
図２に示すように、洗浄剤容器３１は、円筒或いは四角筒で、洗浄・消毒剤を収容する本体３１ｅと、上方向に突出している円筒形の上首部３１ａと下方向に突出している円筒形の下首部３１ｂとを含んでいる。上首部３１ａの上端の開口と下首部３１ｂの下端の開口とはそれぞれシート状のシール材３１ｃ、３１ｄによって封止されている。本体３１ｅの大きさは、洗浄・消毒剤の種類、１回の洗浄・消毒に必要な量によって適宜変更可能である。薬剤容器６１も洗浄剤容器３１と同様の形状であるが、図２に一点鎖線で示すように、上首部６１ａ、下首部６１ｂの外径が洗浄剤容器３１の上首部３１ａ、下首部３１ｂの外径と異なっている。また、本体６１ｅの大きさは、薬剤の種類、１回の透析液生成に必要な量によって変更される。
【００２１】
水供給ポンプ１１、送液ポンプ７０、洗浄剤投入機構３０、薬剤投入機構６０、ヒータ７２、弁７７，７９、１７９は、制御部９５に接続され、制御部９５の指令によって駆動或いは開閉される。また、温度センサ７４、流量センサ７５，８３の検出信号は、制御部９５に入力される。制御部９５は、内部に情報処理を行うＣＰＵと制御プログラムやデータを格納する記憶部を備えるコンピュータである。
【００２２】
次に、図３を参照しながら、洗浄剤投入機構３０の詳細構造について説明する。図３に示すように、洗浄剤投入機構３０は、上コネクタ３６ａと、上コネクタ３６ａと同軸に配置される下コネクタ３６ｂと、各コネクタ３６ａ，３６ｂを上下方向に駆動するコネクタ移動機構５６０と、入口管３２と、出口管３３と、入口管３２に配置された弁３４と、出口管３３に配置された弁３５とを含んでいる。上コネクタ３６ａは、上ベース５００と、上ベース５００の下面にボルト５５８で固定される上嵌合ブロック５５０とで構成される。また、下コネクタ３６ｂは、下ベース６００と下ベース６００の上面にボルト６５８で固定される下嵌合ブロック６５０とで構成されている。
【００２３】
上コネクタ３６ａの上ベース５００は、金属製の平板５０１と平板５０１の下面の中央から下向きに突出する上ノズル５０３とを含んでいる。平板５０１は、アーム５０６によってコネクタ移動機構５６０に接続されている。また、平板５０１の内部には、希釈液であるＲＯ水を導入する流通孔５０２が設けられている。流通孔５０２は平板５０１の側面まで延びて開口しており、この開口には入口管３２が接続されている。上ノズル５０３は、先端が尖った棒状で、中心部分には平板５０１の流通孔５０２に連通するように軸方向に延びる流通孔５０４が設けられている。また、上ノズル５０３の先端部分には、流通孔５０４と連通し、半径方向に延びて上ノズル５０３の外表面に開口する流通孔５０５が設けられている。
【００２４】
上コネクタ３６ａの上嵌合ブロック５５０は、上ベース５００の平板５０１にボルト５５８で固定されるフランジ５５１と、フランジ５５１の中央から下方向に延びる上本体５５０ａとを含んでいる。上本体５５０ａは円環状で中央に円形の二段穴が設けられている。上本体５５０ａの上ベース５００側には直径が上ノズル５０３の外径と同一のノズル取り付け穴５５３が設けられ、先端側には、図４に示すように洗浄剤容器３１の円環状の上首部３１ａが嵌合する上嵌合穴５５５が設けられている。上嵌合穴５５５の内径は上首部３１ａの外径と略同一径である。ノズル取り付け穴５５３の内面には上ノズル５０３の外面との間を水密にシールするためのパッキン５５４が取り付けられている。同様に、上嵌合穴５５５の内面にも洗浄剤容器３１の上首部３１ａとの間を水密にシールするためのパッキン５５６が設けられている。上嵌合穴５５５とパッキン５５６とは上嵌合部を構成する。また、上嵌合ブロック５５０の上ベース５００の平板５０１に接続される面にもパッキン５５２が設けられている。
【００２５】
下コネクタ３６ｂの下ベース６００は、金属製の平板６０１と平板６０１の上面の中央から上向きに突出する下ノズル６０３とを含んでいる。平板６０１は、アーム６０６によってコネクタ移動機構５６０に接続されている。下ノズル６０３は、円筒を斜めに切断したような形状で、尖った先端を備え、先端側には内径が大きい流通孔６０５が設けられ、下ベース６００側には流通孔６０５に連通するように軸方向に延びる流通孔６０４が設けられている。また、平板６０１の内部には下ノズル６０３の流通孔６０４に連通する流通孔６０２が設けられている。流通孔６０２は平板６０１の側面まで延びて開口しており、この開口には出口管３３が接続されている。図４に示すように上コネクタ３６ａと下コネクタ３６ｂとの間に取り付けられた洗浄剤容器３１に充填されていた洗浄・消毒剤及び、上コネクタ３６ａから洗浄剤容器３１の中に導入されたＲＯ水は、下ノズル６０３の流通孔６０５、６０４、下ベース６００の流通孔６０２を通って出口管３３から流出する。
【００２６】
下コネクタ３６ｂの下嵌合ブロック６５０は、上嵌合ブロック５５０と略同様の構成で、フランジ６５１と、フランジ６５１の中央から上方向に延びる下本体６５０ａとを含んでいる。下本体６５０ａは円環状で中央に円形の二段穴が設けられている。下本体６５０ａの下ベース６００側には直径が下ノズル６０３の外径と同一のノズル取り付け穴６５３が設けられ、先端側には、図４に示すように洗浄剤容器３１の円環状の下首部３１ｂが嵌合する下嵌合穴６５５が設けられている。下嵌合穴６５５の内径は下首部３１ｂの外径と略同一径である。ノズル取り付け穴６５３の内面には下ノズル６０３の外面との間を水密にシールするためのパッキン６５４が取り付けられている。同様に、下嵌合穴６５５の内面にも洗浄剤容器３１の下首部３１ｂとの間を水密にシールするためのパッキン６５６が設けられている。下嵌合穴６５５とパッキン６５６とは下嵌合部を構成する。また、下嵌合ブロック６５０の下ベース６００の平板６０１に接続される面にもパッキン６５２が設けられている。
【００２７】
図３に示すように、上コネクタ３６ａの上嵌合ブロック５５０の二段穴の中心、つまり、ノズル取り付け穴５５３と上嵌合穴５５５の中心と、下コネクタ３６ｂの下嵌合ブロック６５０の二段穴の中心、つまり、ノズル取り付け穴６５３と下嵌合穴６５５の中心とは、同一の中心線５８０の上に配置されている。従って、上下の各嵌合穴５５５，６５５は同軸に配置されている。また、本実施形態では、上ノズル５０３と下ノズル６０３の各中心も中心線５８０の上に配置されており、同軸配置となっている。
【００２８】
コネクタ移動機構５６０は、制御部９５に接続され、制御部９５の指令によって、或いは操作者の操作によって上コネクタ３６ａ、下コネクタ３６ｂのいずれか一方または両方を上下方向に移動させる。
【００２９】
薬剤投入機構６０は、先に説明した洗浄剤投入機構３０と同様の構造で、上コネクタ６６ａと、上コネクタ６６ａと同軸に配置される下コネクタ６６ｂと、各コネクタを上下方向に駆動するコネクタ移動機構５６０と、入口管６２と、出口管６３と入口管６２に配置された弁６４と出口管６３に配置された弁６５とを含んでいる。上コネクタ６６ａの上嵌合穴５５５と下コネクタ６６ｂの下嵌合穴６５５の各内径は、図２に示す薬剤容器６１の上首部６１ａ、下首部６１ｂの外径と略同一径となっている。
【００３０】
次に図４から図６を参照しながら洗浄剤容器３１を洗浄剤投入機構３０に取り付けて透析液供給装置１００の接液部の洗浄・消毒を行う方法について説明する。まず、図１に示す弁３４、３５、６４、６５を閉として洗浄剤容器３１を洗浄剤投入機構３０に取り付ける。また、カプラ８１、８２をダイアライザ９０の透析液入口９１、透析液出口９２から取り外し、接続カプラ９８で接続する。なお、接続カプラ９８を用いずに、カプラ８１とカプラ８２を直接接続してもよい。
【００３１】
洗浄剤容器３１を洗浄剤投入機構３０の上コネクタ３６ａと下コネクタ３６ｂの間に取り付けるには、コネクタ移動機構５６０によって上コネクタ３６ａを上方向に、下コネクタ３６ｂを下方向に移動させ、上ノズル５０３の先端と下ノズル６０３の先端との間隔を洗浄剤容器３１の上下方向の全長さよりも長くした後、洗浄剤容器３１の上首部３１ａ、下首部３１ｂの各中心が中心線５８０の位置となるように洗浄剤容器３１を保持した状態で下コネクタ３６ｂを上方向に、上コネクタ３６ａを下方向に移動させる。すると、下コネクタ３６ｂは下ノズル６０３の尖った先端でシール材３１ｄを破って洗浄剤容器３１の中に入り込み、下嵌合穴６５５は下首部３１ｂの外周に嵌り込む。そして、下嵌合穴６５５のパッキン６５６が下首部３１ｂの外周に密着する。同様に、上コネクタ３６ａは上ノズル５０３の尖った先端でシール材３１ｃを破って洗浄剤容器３１の中に入り込み、上嵌合穴５５５は上首部３１ａの外周に嵌り込む。そして、上嵌合穴５５５のパッキン５５６が上首部３１ａの外周に密着する。これによって、図４に示すように、洗浄剤容器３１は、上コネクタ３６ａと下コネクタ３６ｂとの間に挟み込まれ、洗浄剤容器３１と、入口管３２と、出口管３３とは連通して１つの液体流路を形成する。
【００３２】
洗浄剤容器３１を上コネクタ３６ａと下コネクタ３６ｂとの間に取り付けたら、図５に示すように、入口管３２に配置されている弁３４と、出口管３３に配置されている弁３５を開とする。すると、図４の矢印に示すように、ＲＯ水が入口管３２から上コネクタ３６ａの平板５０１の流通孔５０２に流れ込んでくる。流通孔５０２に流れ込んだＲＯ水は、上ノズル５０３の流通孔５０４を通って上ノズル５０３の先端側の流通孔５０５から洗浄剤容器３１の中に流入する。洗浄剤容器３１の中に充填されている洗浄・消毒剤が粉末状態の場合には、洗浄剤容器３１の中で洗浄・消毒剤がＲＯ水中に溶解して濃度の高い洗浄・消毒液となり、下ノズル６０３の流通孔６０５、６０４から平板６０１の流通孔６０２を通って出口管３３から流出する。そして、図５の流路Ｒ１１に示すように、薬剤投入管１４を通ってタンク１５の中に流入する。水供給ポンプ１１は、タンク１５の中の洗浄・消毒液の濃度が所定の濃度になるまで、ＲＯ装置１２からＲＯ水をタンク１５に供給する。そしてタンク１５内の洗浄・消毒剤の濃度が所定の濃度に達したら、或いは、所定量のＲＯ水をタンク１５に供給したら、水供給ポンプ１１を停止する。
【００３３】
次に、弁７７、１７９を閉として弁７９を開として、送液ポンプ７０を始動すると、タンク１５に貯留されている洗浄・消毒液は、図５に一点鎖線で示す流路Ｒ１２のように、［タンク１５→ポンプ吸込み管１６→送液ポンプ７０→ヒータ入口管７１→ヒータ７２→透析液供給管７３→再循環管７８（弁７９）→ＲＯ水管１３→洗浄剤投入機構３０→薬剤投入管１４→タンク１５］と循環し、各機器及び配管の接液部を洗浄・消毒する。図５に示す流路Ｒ１２の洗浄・消毒を所定時間だけ行ったら流路Ｒ１２の洗浄・消毒を終了する。
【００３４】
流路Ｒ１２の洗浄・消毒が終了したら、図６に示すように、弁７９を閉として弁７７を開とする。すると、タンク１５に貯留されていた洗浄・消毒液は、図６の流路Ｒ１３に示すように、［タンク１５→ポンプ吸込み管１６→送液ポンプ７０→ヒータ入口管７１→ヒータ７２→透析液供給管７３→弁７７→接続管７６→カプラ８１→接続カプラ９８→カプラ８２→透析液排出管８０］と流れドレンから系外に排出される。タンク１５に貯留した洗浄・消毒液を流路Ｒ１３によって全てドレンから系外に排出したら、透析液供給装置１００の接液部の一次洗浄を終了する。
【００３５】
次に、先に洗浄剤投入機構３０に洗浄剤容器３１を取り付けたのと同様の手順で、もう一つの洗浄剤投入機構１３０に洗浄剤容器１３１を取り付け、水供給ポンプ１１によってＲＯ装置１２からタンク１５に所定量のＲＯ水を貯留し、洗浄剤投入機構１３０の弁１３４，１３５を開として送液ポンプ７０によってＲＯ水をタンク１５から洗浄剤容器１３１に導入し、洗浄・消毒液を流路Ｒ１４に示すように、［洗浄剤投入機構１３０→透析液排出管８０→再循環管１７８（弁１７９）→ＲＯ水管１３→洗浄剤投入機構３０→薬剤投入管１４→タンク１５→ポンプ吸込み管１６→送液ポンプ７０→ヒータ入口管７１→ヒータ７２→透析液供給管７３→弁７７→接続管７６→カプラ８１→接続カプラ９８→カプラ８２→洗浄剤投入機構１３０］と循環させて二次洗浄を行う。図６に示す流路Ｒ１４の洗浄・消毒を所定時間だけ行ったら二次洗浄を終了する。二次洗浄を終了したら、弁１７９を閉としてタンク１５に残っている洗浄・消毒液を流路Ｒ１３によってドレンから系外に排出する。
【００３６】
その後、水供給ポンプ１１によってＲＯ水を系統中に流入させながら、図５に示す流路Ｒ１２或いは、図６に示す流路Ｒ１４を循環させ、タンク１５に所定量のＲＯ水が溜まったら、流路Ｒ１３によってタンク１５に溜まったＲＯ水をドレンから系外に排出するフラッシングを行って透析液供給装置１００の接液部の洗浄・消毒を終了する。なお、洗浄剤投入機構１３０、再循環管１７８、弁１７９がない場合には、一次洗浄のみを行うようにしてもよい。
【００３７】
このように、本実施形態の透析液供給装置１００は、操作者が所定量の洗浄・消毒剤が充填・封止された洗浄剤容器３１を洗浄剤投入機構３０の上コネクタ３６ａと下コネクタ３６ｂとの間にセットするだけで透析液供給装置１００の接液部の洗浄・消毒を行うことができるので、操作者が洗浄・消毒剤に触れることなく容易に液流路の洗浄・消毒作業を行うことができる。また、洗浄・消毒剤が大気に触れることが無くなるので、洗浄・消毒剤のにおいの拡散を抑えることができる。
【００３８】
なお、透析液供給装置１００によって透析液を透析装置９６に供給する場合には、洗浄剤容器３１を洗浄剤投入機構３０に取り付けるのと同様の方法で薬剤投入機構６０に薬剤容器６１を取り付け、ＲＯ水を薬剤容器６１に導入して薬剤を溶解して濃度の高い透析液とし、薬剤投入管１４からタンク１５の中に流入させる。そして、所定の濃度になるまでＲＯ水をタンク１５に流入させて所定濃度の透析液を生成し、タンク１５に貯留する。そして、タンク１５に貯留された所定濃度の透析液を送液ポンプ７０によって透析装置９６に供給する。
【００３９】
次に、図７から図９を参照しながら、他の実施形態の透析液供給装置２００について説明する。先に図１から図６を参照して説明した実施形態と同様の部分には同様の符号を付して説明は省略する。
【００４０】
図７に示す透析液供給装置２００は、図１から図６を参照して説明したようなタンク１５に所定濃度の透析液を生成、貯留し、貯留した透析液を透析装置９６に供給するバッチ式の透析液供給装置１００と異なり、ＲＯ水管１３の中に高濃度のＡ剤、Ｂ剤を少しずつ連続的に投入して所定濃度の透析液を生成し、透析装置９６に供給するものである。実施形態の透析液供給装置２００では、洗浄剤投入機構３０はＲＯ水管１３をバイパスするように配置されており、洗浄剤投入機構３０と平行するＲＯ水管１３には弁３７が配置されている。洗浄剤投入機構３０の構成は、先に図１から図６を参照して説明したものと同様である。なお、先に説明した実施形態と同様、本実施形態の透析液供給装置２００は、透析液排出管８０にもう一つの洗浄剤投入機構１３０備え、透析液排出管８０とＲＯ水管１３とを接続するもう一つの再循環管１７８と、弁１７９とを備えている。
【００４１】
図７に示すように、薬剤投入機構５５は、Ｂ剤投入機構４０とＡ剤投入機構５０とを備えている。Ｂ剤投入機構４０は、Ｂ剤（粉末剤）が充填されたＢ剤容器４１の上下をコネクタ４９ａ，４９ｂに接続するものであり、入口管４２、出口管４３と入口管４２に配置された弁４５と出口管４３に配置されたＢ剤注入ポンプ４４、弁４６と、バイパス管４７と弁４８とを含む。コネクタ４９ａ、４９ｂの構造は、図３、図４を参照して説明したと同様の構造であるが、Ｂ剤容器４１のコネクタ４９ａ、４９ｂに設けられた流路（図３、図４に示す流通孔５０２または５０４，６０２または６０４）を閉とすることができる流路閉止機構が取り付けられている。Ｂ剤投入機構４０により高濃度のＢ剤をＲＯ水管１３に注入するには、弁４５，４６を開としてＢ剤容器４１の中に所定量のＲＯ水を導入してＢ剤容器４１の中に飽和濃度のＢ剤溶液を生成し、Ｂ剤注入ポンプ４４でＲＯ水管１３の中に少しずつ注入する。また、Ａ剤投入機構５０は、Ａ剤の高濃度の溶液が入ったＡ剤タンク５１と、Ａ剤注入ポンプ５３と、注入管５２と弁５４とを含んでおり、Ａ剤を注入する場合は、弁５４を開として、Ａ剤注入ポンプ５３によってＡ剤タンク５１からＡ剤の溶液を吸い上げてＲＯ水管１３の中に少しずつ注入する。Ｂ剤注入ポンプ４４の注入量、Ａ剤注入ポンプ５３の注入量は、各注入ポンプ４４，５３の下流側のＲＯ水管１３に取り付けられた電導度センサ（図示せず）で検出した電導度に基づいて制御部９５が調整する。ＲＯ水管１３の中に注入されたＡ剤、Ｂ剤の溶液は、図示しないミキシングチャンバでＲＯ水と混合されて所定の濃度の透析液となって透析装置９６に供給される。
【００４２】
以上のように構成された透析液供給装置２００の接液部の洗浄を行う場合の方法について図８、図９を参照しながら説明する。
【００４３】
先に図４〜図６を参照して説明したと同様の手順で洗浄剤容器３１を洗浄剤投入機構３０の上コネクタ３６ａと下コネクタ３６ｂの間に取り付ける。また、Ｂ剤投入機構４０のコネクタ４９ａ、４９ｂの流路閉止機構によって各コネクタ４９ａ，４９ｂの流路を閉止し、弁４８を開として洗浄・消毒液がバイパス管４７を通るようにする。そして、ＲＯ水管１３の弁３７、Ａ剤投入機構５０の弁５４、透析液供給管７３の弁７７を閉とし、再循環管７８の弁７９、洗浄剤投入機構３０の弁３４，３５を開とする。そして、ＲＯ装置１２から入口管３２を通して洗浄剤容器３１にＲＯ水を導入し、出口管３３から洗浄・消毒液をＲＯ水管１３に流入させる。そして、図８に示す流路Ｒ２２のように、送液ポンプ７０から再循環管７８、洗浄剤投入機構３０、Ｂ剤投入機構４０のバイパス管４７、送液ポンプ７０と洗浄・消毒液を循環させて一次洗浄を行う。
【００４４】
一次洗浄が終わったら、図９に示す流路Ｒ２３によってＲＯ水を系統に注入しながら洗浄・消毒液をドレンから系外に排出する。そして、ＲＯ水をもう一つの洗浄剤投入機構１３０に導入して洗浄・消毒液を生成し、図９に示す流路Ｒ２４によって透析液排出管８０からＲＯ水管１３、洗浄剤投入機構３０、Ｂ剤投入機構４０、送液ポンプ７０に循環させて、接液部の二次洗浄を行う。二次洗浄を行った後、ＲＯ水を図８に示す流路Ｒ２２或いは図９に示す流路Ｒ２４に循環させた後、図９に示す流路Ｒ２３のようにドレンから系外に透析・洗浄液を排出して接液部のフラッシングを行い、洗浄・消毒作業を終了する。なお、洗浄剤投入機構１３０、再循環管１７８、弁１７９がない場合には、一次洗浄のみを行うようにしてもよい。
【００４５】
以上説明したように、本実施形態の透析液供給装置２００は、先に説明した透析液供給装置１００と同様、操作者が所定量の洗浄・消毒剤が充填・封止された洗浄剤容器３１を洗浄剤投入機構３０の上コネクタ３６ａと下コネクタ３６ｂとの間にセットするだけで接液部の洗浄・消毒を行うことができるので、操作者が洗浄・消毒剤に触れることなく容易に液流路の洗浄・消毒作業を行うことができる。また、洗浄・消毒剤が大気に触れることが無くなるので、洗浄・消毒剤のにおいの拡散を抑えることができる。
【００４６】
次に、図１０から図１７を参照しながら、本発明の他の実施形態の透析液供給装置３００について説明する。先に図１から図６を参照して説明した実施形態と同様の部分には同様の符号を付して説明は省略する。図１０に示すように、本実施形態の透析液供給装置３００は、図１から図６を参照して説明したと同様、タンク１５に所定濃度の透析液を生成、貯留し、貯留した透析液を透析装置９６に供給するバッチ式の透析液供給装置であり、薬剤投入機構２０は薬剤容器（Ａ剤容器２１Ａ、Ｂ剤容器２１Ｂ）を取り付けて薬剤をタンク１５に投入することができると共に、洗浄剤容器２１Ｃ、２１Ｄを取り付けて洗浄・消毒液をタンク１５に投入することもできる。また、本実施形態の透析液供給装置３００には、先に説明した透析液供給装置１００，２００と同様、オプションとして図１６に破線で示すように、透析液排出管８０に、もう一つの洗浄剤投入機構１３０が配置され、透析液排出管８０とＲＯ水管１３とはもう一つの再循環管１７８によって接続されており、再循環管１７８には弁１７９が配置されている。
【００４７】
図１１に示すように、薬剤投入機構２０は、Ａ剤容器２１Ａ、Ｂ剤容器２１Ｂ、及び、洗浄剤容器２１Ｃ、２１Ｄを保持するストレージ部７２０と、ストレージ部７２０を回転させるモータ７０８と、上側の第１コネクタ２６ａと下側の第２コネクタ２６ｂと、各コネクタ２６ａ，２６ｂを上下方向に移動させるコネクタ移動機構５６０と、を含んでいる。
【００４８】
ストレージ部７２０は、図１２Ａ、図１２Ｂに示すような複数の穴７０１〜７０４の開いた上円板７００と、下円板７１０とを接続シャフト７０７で一体に固定したものである。図１２Ａに示すように、上円板７００は、図１１に示すＡ剤容器２１Ａの本体２１Ａｅが入る複数の大きい丸穴７０１と、図１１に示すＢ剤容器２１Ｂの本体２１Ｂｅが入る複数の小さい丸穴７０２と、図１１に示す洗浄剤容器２１Ｃの本体２１Ｃｅが入る大きな四角穴７０３と、図１１に示す洗浄剤容器２１Ｄの本体２１Ｄｅが入る小さな四角穴７０４が開けられている。各穴７０１〜７０４の内寸法は、各容器２１Ａ〜２１Ｄの本体２１Ａｅ〜２１Ｄｅの外形寸法と略同一である。また、下円板７１０には、上円板７００の各丸穴７０１，７０２、及び各四角穴７０３，７０４に対応する位置に、図１１に示す各容器２１Ａ〜２１Ｄの各下首部２１Ａｂ〜２１Ｄｂが入る複数の丸穴７１１が開けられている。丸穴７１１の直径は、各下首部２１Ａｂ〜２１Ｄｂの外径よりも大きく、各本体２１Ａｅ〜２１Ｄｅの外形寸法よりも小さいものであればよい。上円板７００と下円板７１０の中心はボス７０６で接続され、ボス７０６の中心にはシャフト７０５が取り付けられている。図１１に示すように、シャフト７０５は、モータ７０８のシャフト７０５に接続され、ストレージ部７２０は、モータ７０８によって回転するよう構成されている。図１１に示すように、第１コネクタ２６ａと第２コネクタ２６ｂはそれぞれアーム５０６，６０６によってコネクタ移動機構５６０に接続されている。また、図１４，図１５に示すように、第１コネクタ２６ａと第２コネクタ２６ｂとは中心が同じ中心線５８０の上に来るように配置されており、ストレージ部７２０の上円板７００に開けられた各穴７０１〜７０４、下円板７１０に開けられた複数の丸穴７１１は、その中心が第１コネクタ２６ａ、第２コネクタ２６ｂの中心線５８０と交差する円周上に来るように配置されている。このため、ストレージ部７２０を回転させることにより、所定の容器２１Ａ〜２１Ｄの中心軸を第１コネクタ２６ａと第２コネクタ２６ｂの中心線５８０と一致させることができる。また、ストレージ部７２０は、制御部９５に接続され、制御部９５の指令によって回転する。
【００４９】
第１コネクタ２６ａと第２コネクタ２６ｂの各ベース５００，６００は、先に図３を参照して説明した上コネクタ３６ａ、下コネクタ３６ｂの各ベース５００，６００と同様の構成であるが、上側の第１嵌合ブロック５１０、下側の第２嵌合ブロック６１０は、図３を参照して説明した上嵌合ブロック５５０、下嵌合ブロック６５０と異なり、第１本体５１０ａ、第２本体６１０ａに円環状の三段穴が設けられたものである。
【００５０】
図１３に示すように、第１本体５１０ａは円環状で中央に円形の三段穴が設けられている。第１本体５１０ａの上ベース５００側にはノズル取り付け穴５１３が設けられ、先端側には、図１５に示すように洗浄剤容器２１Ｃの円環状の上首部２１Ｃａが嵌合する第２嵌合穴５１７が設けられており、ノズル取り付け穴５１３と第２嵌合穴５１７との間には、図１４に示すように、Ｂ剤容器２１Ｂの上首部２１Ｂａが嵌合する第１嵌合穴５１５が設けられている。第２嵌合穴５１７の内径は、第１嵌合穴５１５の内径よりも大きくなっている。第１嵌合穴５１５の内径、第２嵌合穴５１７の内径は、それぞれＢ剤容器２１Ｂの上首部２１Ｂａ、洗浄剤容器２１Ｃの上首部２１Ｃａの外径と略同一径である。ノズル取り付け穴５１３の内面には、上ノズル５０３の外面との間を水密にシールするためのパッキン５１４が取り付けられ、第１嵌合穴５１５の内面には、Ｂ剤容器２１Ｂの上首部２１Ｂａの外面との間を水密にシールするためのパッキン５１６が取り付けられ、第２嵌合穴５１７の内面には、洗浄剤容器２１Ｃの上首部２１Ｃａの外面との間を水密にシールするためのパッキン５１８が取り付けられている。第１嵌合穴５１５とパッキン５１６とは第１嵌合部を構成し、第２嵌合穴５１７とパッキン５１８とは第２嵌合部を構成する。
【００５１】
図１３に示すように、第２本体６１０ａも第１本体５１０ａと同様、円環状で中央に円形の三段穴が設けられている。第２本体６１０ａの下ベース６００側にはノズル取り付け穴６１３が設けられ、先端側には、図１５に示すように洗浄剤容器２１Ｃの円環状の下首部２１Ｃｂが嵌合する第４嵌合穴６１７が設けられており、ノズル取り付け穴６１３と第４嵌合穴６１７との間には、図１４に示すように、Ｂ剤容器２１Ｂの下首部２１Ｂｂが嵌合する第３嵌合穴６１５が設けられている。第４嵌合穴６１７の内径は、第３嵌合穴６１５の内径よりも大きくなっている。第３嵌合穴６１５の内径、第４嵌合穴６１７の内径は、それぞれＢ剤容器２１Ｂの下首部２１Ｂｂ、洗浄剤容器２１Ｃの下首部２１Ｃｂの外径と略同一径である。ノズル取り付け穴６１３の内面には、下ノズル６０３の外面との間を水密にシールするためのパッキン６１４が取り付けられ、第３嵌合穴６１５の内面には、Ｂ剤容器２１Ｂの下首部２１Ｂｂの外面との間を水密にシールするためのパッキン６１６が取り付けられ、第４嵌合穴６１７の内面には、洗浄剤容器２１Ｃの下首部２１Ｃｂの外面との間を水密にシールするためのパッキン６１８が取り付けられている。第３嵌合穴６１５とパッキン６１６とは第３嵌合部を構成し、第４嵌合穴６１７とパッキン６１８とは第４嵌合部を構成する。
【００５２】
上記の説明では、Ｂ剤容器２１Ｂ、洗浄剤容器２１Ｃを例に説明したが、Ａ剤容器２１Ａの上首部２１Ａａ、下首部２１Ａｂ、洗浄剤容器２１Ｄの上首部２１Ｄａ、下首部２１Ｄｂの外径は、それぞれ、Ｂ剤容器２１Ｂの上首部２１Ｂａ、下首部２１Ｂｂ、洗浄剤容器２１Ｃの上首部２１Ｃａ、下首部２１Ｃｂの外径と同一であり、Ａ剤容器２１Ａの上首部２１Ａａ、下首部２１Ａｂはそれぞれ第１、第３嵌合穴５１５、６１５に嵌まり込み、洗浄剤容器２１Ｄの上首部２１Ｄａ、下首部２１Ｄｂはそれぞれ第２、第４嵌合穴５１７、６１７に嵌まり込む。なお、Ａ剤容器２１Ａ、Ｂ剤容器２１Ｂ、洗浄剤容器２１Ｃ，２１Ｄは、ストレージ部７２０に保持可能な容器２１である。
【００５３】
図１４に示すように、Ｂ剤容器２１Ｂを薬剤投入機構２０の第１コネクタ２６ａと第２コネクタ２６ｂの間に取り付けるには、まず、ストレージ部７２０の穴７０１〜７０４にＡ剤容器２１Ａ、Ｂ剤容器２１Ｂ、洗浄剤容器２１Ｃ、洗浄剤容器２１Ｄをそれぞれセットしておく。そして、図１０に示す弁２４、２５を閉とした後、コネクタ移動機構５６０によって第１コネクタ２６ａを上方向に、第２コネクタ２６ｂを下方向に移動させ、上ノズル５０３の先端と下ノズル６０３の先端との間隔をＢ剤容器２１Ｂの上下方向の全長さよりも長くする。その後、図１１に示すモータ７０８によってストレージ部７２０を回転させて、図１４に示すように、Ｂ剤容器２１Ｂの中心を第１、第２コネクタ２６ａ，２６ｂの中心線５８０と同一位置とし、コネクタ移動機構５６０によって第２コネクタ２６ｂを上方向に、第１コネクタ２６ａを下方向にそれぞれ移動させる。すると、第２コネクタ２６ｂは下ノズル６０３の尖った先端でシール材２１Ｂｄを破ってＢ剤容器２１Ｂの中に入り込み、第３嵌合穴６１５は下首部２１Ｂｂの外周に嵌り込む。そして、第３嵌合穴６１５のパッキン６１６が下首部２１Ｂｂの外周に密着する。同様に、第１コネクタ２６ａは上ノズル５０３の尖った先端でシール材２１Ｂｃを破ってＢ剤容器２１Ｂの中に入り込み、第１嵌合穴５１５は上首部２１Ｂａの外周に嵌り込む。そして、第１嵌合穴５１５のパッキン５１６が上首部２１Ｂａの外周に密着する。これによって、図１４に示すように、Ｂ剤容器２１Ｂは、第１コネクタ２６ａと第２コネクタ２６ｂとの間に挟み込まれ、Ｂ剤容器２１Ｂと、入口管２２と、出口管２３とは連通して１つの液体流路を形成する。
【００５４】
この状態で、弁２４、２５を開として、ＲＯ水をＢ剤容器２１Ｂに導入してＢ剤を溶解して濃度の高い溶液とし、薬剤投入管１４からタンク１５の中に流入させる。投入が終了したら、第１コネクタ２６ａ、第２コネクタ２６ｂを上下方向に開くように移動させて、上ノズル５０３の先端と下ノズル６０３の先端との間隔をＢ剤容器２１Ｂの上下方向の全長さよりも長くした後、Ａ剤容器２１Ａの中心が第１、第２コネクタ２６ａ，２６ｂの中心線５８０と同一位置となるように、ストレージ部７２０を回転させ、コネクタ移動機構５６０を動作させてＡ剤容器２１Ａを第１、第２コネクタ２６ａ，２６ｂの間に取り付ける。そして、ＲＯ水をＡ剤容器２１Ａに導入してＡ剤を溶解して濃度の高い溶液とし、薬剤投入管１４からタンク１５の中に流入させる。そして、所定の濃度になるまでタンク１５の中にＲＯ水を流入させて所定濃度の透析液を生成し、送液ポンプ７０でタンク１５の中の透析液を透析装置９６に供給する。
【００５５】
次に図１５から図１７を参照しながら洗浄剤容器２１Ｃを薬剤投入機構２０に取り付けて透析液供給装置２００の接液部の洗浄・消毒を行う方法について説明する。まず、図１０に示す弁２４、２５を閉として洗浄剤容器２１Ｃを薬剤投入機構２０に取り付ける。また、カプラ８１、８２をダイアライザ９０の透析液入口９１、透析液出口９２から取り外し、接続カプラ９８で接続する。なお、接続カプラ９８を用いずに、カプラ８１とカプラ８２を直接接続してもよい。
【００５６】
洗浄剤容器２１Ｃを薬剤投入機構２０に取り付ける工程は、先に説明したＢ剤容器２１Ｂを薬剤投入機構２０に取り付ける工程と同様であるが、図１５に示すように、第２コネクタ２６ｂの第４嵌合穴６１７が洗浄剤容器２１Ｃの下首部２１Ｃｂの外周に嵌り込み、第４嵌合穴６１７のパッキン６１８が下首部２１Ｃｂの外周に密着する。同様に、第１コネクタ２６ａの第２嵌合穴５１７は上首部２１Ｃａの外周に嵌り込む。そして、第２嵌合穴５１７のパッキン５１８が上首部２１Ｃａの外周に密着する。これによって、図１５に示すように、洗浄剤容器２１Ｃは、第１コネクタ２６ａと第２コネクタ２６ｂとの間に挟み込まれ、洗浄剤容器２１Ｃと、入口管２２と、出口管２３とは連通して１つの液体流路を形成する。
【００５７】
図１５に示すように、洗浄剤容器２１Ｃの上首部２１Ｃａと下首部２１Ｃｂとをそれぞれ第１、第２コネクタ２６ａ，２６ｂの第２、第４嵌合穴５１７，６１７にはめ込んだ状態では、先に図１４を参照して説明したＢ剤容器２１Ｂの上首部２１Ｂａと下首部２１Ｂｂとが嵌り込んでいた第１、第３嵌合穴５１５，６１５の内面と、上ノズル５０３、下ノズル６０３の各外面との間には空間ができる。このため、Ｂ剤容器２１Ｂが薬剤投入機構２０に取り付けられた際に上首部２１Ｂａ、下首部２１Ｂｂの外面が接触していた第１、第３嵌合穴５１５，６１５の内面にも洗浄液が通流することができ、各嵌合穴５１５，６１５の内側の接触面に残留したＢ剤或いはＡ剤を洗浄することができる。
【００５８】
図１５に示すように、洗浄剤容器２１Ｃを第１コネクタ２６ａと第２コネクタ２６ｂとの間に取り付けたら、図１６に示すように、入口管２２に配置されている弁２４と、出口管２３に配置されている弁２５を開とすると、図１６に示すように、ＲＯ水が入口管２２から第１コネクタ２６ａの平板５０１の流通孔５０２に流れ込んでくる。流通孔５０２に流れ込んだＲＯ水は、図１５に示すように、上ノズル５０３の流通孔５０４を通って上ノズル５０３の先端側の流通孔５０５から洗浄剤容器２１Ｃに流入する。洗浄剤容器２１Ｃの中に充填されている洗浄・消毒剤が粉末状態の場合には、洗浄剤容器２１Ｃの中で洗浄・消毒剤がＲＯ水中に溶解して濃度の高い洗浄・消毒液となり、下ノズル６０３の流通孔６０５、６０４から平板６０１の流通孔６０２を通って出口管２３から流出する。そして、図１６の流路Ｒ３１に示すように、薬剤投入管１４を通ってタンク１５の中に流入する。水供給ポンプ１１は、タンク１５の中の洗浄・消毒液の濃度が所定の濃度になるまで、ＲＯ装置１２からＲＯ水をタンク１５に供給する。そしてタンク１５内の洗浄・消毒剤の濃度が所定の濃度に達したら、或いは、所定量のＲＯ水をタンク１５に供給したら、水供給ポンプ１１を停止する。
【００５９】
次に、弁７７、１７９を閉として弁７９を開として、送液ポンプ７０を始動すると、タンク１５に貯留されている洗浄・消毒液は、図１６に一点鎖線で示す流路Ｒ３２のように、［タンク１５→ポンプ吸込み管１６→送液ポンプ７０→ヒータ入口管７１→ヒータ７２→透析液供給管７３→再循環管７８（弁７９）→ＲＯ水管１３→薬剤投入機構２０→薬剤投入管１４→タンク１５］と循環し、各機器及び配管の接液部を洗浄・消毒する。図１６に示す流路Ｒ３２の洗浄・消毒を所定時間だけ行ったら流路Ｒ３２の洗浄・消毒を終了する。
【００６０】
流路Ｒ３２の洗浄・消毒が終了したら、図１７に示すように、弁７９を閉として弁７７を開とする。すると、タンク１５に貯留されていた洗浄・消毒液は、図１７の流路Ｒ３３に示すように、［タンク１５→ポンプ吸込み管１６→送液ポンプ７０→ヒータ入口管７１→ヒータ７２→透析液供給管７３→弁７７→接続管７６→カプラ８１→接続カプラ９８→カプラ８２→透析液排出管８０］と流れ、ドレンから系外に排出される。タンク１５に貯留した洗浄・消毒液を流路Ｒ３３によって全てドレンから系外に排出したら、透析液供給装置３００の接液部の一次洗浄を終了する。
【００６１】
次に、先に図１から図６を参照して説明したと同様の手順で、もう一つの洗浄剤投入機構１３０に洗浄剤容器１３１を取り付け、水供給ポンプ１１によってＲＯ装置１２からタンク１５に所定量のＲＯ水を貯留し、洗浄剤投入機構１３０の弁１３４，１３５を開として送液ポンプ７０によってＲＯ水をタンク１５から洗浄剤容器１３１に導入し、洗浄・消毒液を流路Ｒ３４に示すように、［洗浄剤投入機構１３０→透析液排出管８０→再循環管１７８（弁１７９）→ＲＯ水管１３→洗浄剤投入機構３０→薬剤投入管１４→タンク１５→ポンプ吸込み管１６→送液ポンプ７０→ヒータ入口管７１→ヒータ７２→透析液供給管７３→弁７７→接続管７６→カプラ８１→接続カプラ９８→カプラ８２→洗浄剤投入機構１３０］と循環させて二次洗浄を行う。図１７に示す流路Ｒ３４の洗浄・消毒を所定時間だけ行ったら二次洗浄を終了する。二次洗浄を終了したら、弁１７９を閉としてタンク１５に残っている洗浄・消毒液を流路Ｒ３３によってドレンから系外に排出する。
【００６２】
その後、水供給ポンプ１１によってＲＯ水を系統中に流入させながら、図１６に示す流路Ｒ３２或いは、図１７に示す流路Ｒ３４を循環させ、タンク１５に所定量のＲＯ水が溜まったら、図１７に示す流路Ｒ３３によってタンク１５に溜まったＲＯ水をドレンから系外に排出するフラッシングを行って透析液供給装置３００の接液部の洗浄・消毒を終了する。なお、洗浄剤投入機構１３０、再循環管１７８、弁１７９がない場合には、一次洗浄のみを行うようにしてもよい。
【００６３】
このように、本実施形態の透析液供給装置３００は、操作者が所定量の洗浄・消毒剤が充填・封止された洗浄剤容器２１Ｃ或いは２１Ｄを薬剤投入機構２０のストレージ部７２０の穴７０３，７０４にセットするだけで、透析液供給装置３００の接液部の洗浄・消毒を行うことができるので、操作者が洗浄・消毒剤に触れることなく容易に液流路の洗浄・消毒作業を行うことができる。また、本実施形態の透析液供給装置３００は、１つの薬剤投入機構２０によってＡ剤、Ｂ剤、二種類の洗浄・消毒剤をそれぞれ配管或いはタンク１５に投入することができるので、簡便な構成とすることができる。また、薬剤、或いは洗浄剤の投入に際しては、ストレージ部７２０の回転、位置決め、第１、第２コネクタ２６ａ，２６ｂによる容器２１の挟み込み、取り外し等の一連の工程を制御部９５の指令によって一括制御できるので、自動化を図れると共に、操作者が洗浄・消毒剤に触れることなく容易に液流路の洗浄・消毒作業を行うことができる。また、洗浄・消毒剤が大気に触れることが無くなるので、洗浄・消毒剤のにおいの拡散を抑えることができる。
【００６４】
更に、本実施形態の透析液供給装置３００は、制御部９５によってストレージ部７２０に保持するＡ剤容器２１Ａ、Ｂ剤容器２１Ｂ、洗浄剤容器２１Ｃ，２１Ｄの各本体２１Ａｅ，２１Ｂｅ，２１Ｃｅ，２１Ｄｅの形状を異ならせ、ストレージ部７２０の上円板７００には、各本体の形状に合わせた穴７０１〜７０４を設けているので、Ａ剤容器２１Ａ、Ｂ剤容器２１Ｂ、洗浄剤容器２１Ｃ，２１Ｄを入れ間違えないようにできる。また、各容器２１Ａ〜２１ＤにＩＣチップ等を取り付けておき、制御部９５がストレージ部７２０を回転させてＡ剤容器２１Ａ、Ｂ剤容器２１Ｂ、或いは洗浄剤容器２１Ｃ，２１Ｄを選択する際にどの薬剤が充填されている容器２１であるかをＩＣチップの情報で判断するようにして正しい薬剤或いは洗浄剤の充填された容器２１が第１コネクタ２６ａと第２コネクタ２６ｂとの間の中心線５８０の上に位置するように制御して、薬剤の誤投入を防止することができる。
【００６５】
更に、本実施形態の透析液供給装置３００は、図１５に示すように、洗浄剤容器２１Ｃの上首部２１Ｃａと下首部２１Ｃｂとをそれぞれ第１、第２コネクタ２６ａ，２６ｂの第２、第４嵌合穴５１７，６１７にはめ込むと、先に図１４を参照して説明したＢ剤容器２１Ｂの上首部２１Ｂａと下首部２１Ｂｂとが嵌り込んでいた第１、第３嵌合穴５１５，６１５の内面と、上ノズル５０３、下ノズル６０３の各外面との間には空間ができる。このため、Ｂ剤容器２１Ｂが薬剤投入機構２０に取り付けられた際に上首部２１Ｂａ、下首部２１Ｂｂの外面が接触していた第１、第３嵌合穴５１５，６１５の内面にも洗浄液が通流することができ、各嵌合穴５１５，６１５の内側の接触面に残留したＢ剤或いはＡ剤を洗浄することができる。
【００６６】
次に図１８から図２０を参照しながら、本発明の他の実施形態の透析液供給装置４００について説明する。図１から図１７を参照して説明した実施形態と同様の部分には同様の符号を付して説明は省略する。
【００６７】
図１８に示す透析液供給装置４００は、先に図７を参照して説明した透析液供給装置２００と同様、ＲＯ水管１３の中に高濃度のＡ剤、Ｂ剤を少しずつ連続的に投入して所定濃度の透析液を生成し、透析装置９６に供給するものである。本実施形態の薬剤投入機構６０の構成は、先に図１３から図１４を参照して説明した第１、第２コネクタ２６ａ、２６ｂ、コネクタ移動機構５６０と同様の構成の第１、第２コネクタ１２６ａ、１２６ｂ、コネクタ移動機構５６０を含んでおり、Ｂ剤容器２１Ｂ、洗浄剤容器２１Ｃ，２１Ｄを取り付けることができるように構成されている。なお、図１１、図１２Ａ、図１２Ｂを参照して説明したストレージ部７２０は備えていない。また、先に説明した実施形態と同様、本実施形態の透析液供給装置４００は、透析液排出管８０にもう一つの洗浄剤投入機構１３０備え、透析液排出管８０とＲＯ水管１３とを接続するもう一つの再循環管１７８と、弁１７９とを備えている。
【００６８】
図１８に示す透析液供給装置４００によって透析液を透析装置９６に供給する場合には、図１４に示すように、Ｂ剤容器２１Ｂの上首部２１Ｂａの外周に第１コネクタ１２６ａの第１嵌合穴５１５、パッキン５１６を嵌めこむと共に、Ｂ剤容器２１Ｂの下首部２１Ｂｂの外周に第２コネクタ１２６ｂの第３嵌合穴６１５、パッキン６１６を嵌めこむようにしてＢ剤容器２１Ｂを第１、第２コネクタ１２６ａ、１２６ｂの間に挟み込み、Ｂ剤容器２１Ｂ、入口管１２２と、出口管１２３とが連通して１つの液体流路を形成するようにする。
【００６９】
この状態で、弁１２４、１２５を開として、ＲＯ水をＢ剤容器２１Ｂに導入してＢ剤を溶解して濃度の高い溶液を生成し、Ｂ剤注入ポンプ４４でＲＯ水管１３の中に濃度のＢ剤の溶液を少しずつ注入する。また、Ａ剤は、Ａ剤注入ポンプ５３によってＡ剤タンク５１から濃度の高いＡ剤の溶液を吸い上げてＲＯ水管１３の中に少しずつ注入する。Ｂ剤注入ポンプ４４の注入量、Ａ剤注入ポンプ５３の注入量は、各注入ポンプ４４，５３の下流側のＲＯ水管１３に取り付けられた電導度センサ（図示せず）で検出した電導度に基づいて制御部９５が調整する。ＲＯ水管１３に注入されたＢ剤、Ａ剤の溶液は、図示しないミキシングチャンバで混合されて所定濃度透析液となり、透析装置９６に供給される。
【００７０】
以上のように構成された透析液供給装置４００の接液部の洗浄を行う場合の方法について図１９、図２０を参照しながら説明する。
【００７１】
まず、弁１２４、１２５を閉として薬剤投入機構１２０の第１、第２コネクタ１２６ａ，１２６ｂの間に取り付けられているＢ剤容器２１Ｂを取り外し、洗浄剤容器２１Ｃを先に説明したのと同様の方法で第１、第２コネクタ１２６ａ，１２６ｂの間に取り付ける。この場合、図１５に示すように、洗浄剤容器２１Ｃの上首部２１Ｃａの外周に第１コネクタ１２６ａの第２嵌合穴５１７、パッキン５１８を嵌めこむと共に、洗浄剤容器２１Ｃの下首部２１Ｃｂの外周に第２コネクタ１２６ｂの第４嵌合穴６１７、パッキン６１８を嵌めこむようにして洗浄剤容器２１Ｃを第１、第２コネクタ１２６ａ、１２６ｂの間に挟み込み、洗浄剤容器２１Ｃ、入口管１２２と、出口管１２３とが連通して１つの液体流路を形成するようにする。
【００７２】
次に、Ａ剤投入機構５０の弁５４、透析液供給管７３の弁７７を閉とし、弁１２４、１２５、再循環管７８の弁７９を開とする。そして、ＲＯ装置１２から入口管１２２を通して洗浄剤容器２１ＣにＲＯ水を導入し、出口管１２３から洗浄・消毒液をＲＯ水管１３に流入させる。そして、送液ポンプ７０によって図１９に示す流路Ｒ４２のように、再循環管７８、薬剤投入機構１２０、送液ポンプ７０と洗浄・消毒液を循環させて一次洗浄を行う。
【００７３】
一次洗浄が終わったら、図２０に示す流路Ｒ４３によってＲＯ水を系統に注入しながら洗浄・消毒液をドレンから系外に排出する。また、ＲＯ水をもう一つの洗浄剤投入機構１３０に導入して洗浄・消毒液を生成し、図２０に示す流路Ｒ４４によって透析液排出管８０から再循環管１７８、ＲＯ水管１３、薬剤投入機構６０、送液ポンプ７０に循環させて、接液部の二次洗浄を行う。二次洗浄を行った後、ＲＯ水を図１９に示す流路Ｒ４２或いは図２０に示す流路Ｒ４４に循環させた後、図２０に示す流路Ｒ４３のようにドレンから系外に透析・洗浄液を排出して接液部のフラッシングを行い、洗浄・消毒作業を終了する。なお、洗浄剤投入機構１３０、再循環管１７８、弁１７９がない場合には、一次洗浄のみを行うようにしてもよい。
【００７４】
以上説明したように、本実施形態の透析液供給装置４００に説明した各実施形態と同様、操作者が所定量の洗浄・消毒剤が充填・封止された洗浄剤容器２１Ｃを薬剤投入機構１２０の第１コネクタ１２６ａと第２コネクタ１２６ｂとの間にセットするだけで接液部の洗浄・消毒を行うことができるので、操作者が洗浄・消毒剤に触れることなく容易に液流路の洗浄・消毒作業を行うことができる。また、本実施形態の透析液供給装置４００の薬剤投入機構１２０の第１、第２コネクタ１２６ａ，１２６ｂは、薬剤容器と洗浄剤容器のいずれをも取り付けることができ、簡便な構成で透析液供給装置４００の洗浄・消毒を行うことができる。また、洗浄・消毒剤が大気に触れることが無くなるので、洗浄・消毒剤のにおいの拡散を抑えることができる。
【符号の説明】
【００７５】
１０  水供給管、１１  水供給ポンプ、１２  ＲＯ装置、１３  ＲＯ水管、１４  薬剤投入管、１５  タンク、１６  ポンプ吸込み管、２０，５５，６０，１２０  薬剤投入機構、２１  容器、２１Ａ  Ａ剤容器、２１Ｂ，４１  Ｂ剤容器、２１Ｃ，２１Ｄ，６１  薬剤容器、２１Ａａ，２１Ｂａ，２１Ｃａ，２１Ｄａ，３１ａ，６１ａ  上首部、２１Ａｂ，２１Ｂｂ，２１Ｃｂ，２１Ｄｂ，３１ｂ，６１ｂ  下首部、２１Ｂｃ，２１Ｂｄ，２１Ｃｃ，２１Ｃｄ，３１ｃ，３１ｄ，６１ｃ，６１ｄ  シール材、２１Ａｅ，２１Ｂｅ，２１Ｃｅ，２１Ｄｅ，３１ｅ，６１ｅ  本体、２２，３２，４２，６２，１２２，１３２  入口管、２３，３３，４３，６３，１２３，１３３  出口管、２４，２５，３４，３５，４５，４６，４８，６４，６５，７７，７９，１２４，１２５，１３４，１３５，１７９  弁、２６ａ，１２６ａ  第１コネクタ、２６ｂ，１２６ｂ  第２コネクタ、３０，１３０  洗浄剤投入機構、３１  洗浄剤容器、３６ａ，６６ａ，１３６ａ  上コネクタ、３６ｂ，６６ｂ，１３６ｂ  下コネクタ、４０  Ｂ剤投入機構、４４  Ｂ剤注入ポンプ、４７  バイパス管、４９ａ，４９ｂ  コネクタ、５０  Ａ剤投入機構、５１  Ａ剤タンク、５２  注入管、５３  Ａ剤注入ポンプ、７０  送液ポンプ、７１  ヒータ入口管、７２  ヒータ、７３  透析液供給管、７４  温度センサ、７５，８３  流量センサ、７６  接続管、７８，１７８  再循環管、８０  透析液排出管、８１，８２  カプラ、９０  ダイアライザ、９１  透析液入口、９２  透析液出口、９３  血液入口管、９４血液出口管、９５  制御部、９６  透析装置、９７ａ  透析液注入ポンプ（透析液ＩＮポンプ）、９７ｂ  透析液排出ポンプ（透析液ＯＵＴポンプ）、９７ｃ  血液ポンプ、９８  接続カプラ、１００，２００，３００，４００  透析液供給装置、５００  上ベース、５０１，６０１  平板、５０２，５０４，５０５，６０２，６０４，６０５  流通孔、５１３，５５３，６１３，６５３  ノズル取付け穴、５０３  上ノズル、５０６，６０６  アーム、５１０  第１嵌合ブロック、５１０ａ  第１本体、５１４，５１６，５１８，５５２，５５４，５５６，６１４，６１６，６１８，６５２，６４５，６５６  パッキン、５１５  第１嵌合穴、５１７  第２嵌合穴、５５０  上嵌合ブロック、５５０ａ  上本体、５５１，６５１  フランジ、５５５  上嵌合穴、５５８，６５８  ボルト、５６０  コネクタ移動機構、５８０  中心線、６００  下ベース、６０３  下ノズル、６１０  第２嵌合ブロック、６１０ａ  第２本体、６１５  第３嵌合穴、６１７  第４嵌合穴、６５０  下嵌合ブロック、６５０ａ  下本体、６５２  パッキン、６５５  下嵌合穴、７００  上円板、７０１，７０２，７１１  丸穴、７０３，７０４  四角穴、７０５  シャフト、７０６  ボス、７０７  接続シャフト、７０８  モータ、７１０  下円板、７２０  ストレージ部。
【図１】
2018201532.tif 000003
【図２】
2018201532.tif 000004
【図３】
2018201532.tif 000005
【図４】
2018201532.tif 000006
【図５】
2018201532.tif 000007
【図６】
2018201532.tif 000008
【図７】
2018201532.tif 000009
【図８】
2018201532.tif 000010
【図９】
2018201532.tif 000011
【図１０】
2018201532.tif 000012
【図１１】
2018201532.tif 000013
【図１２Ａ】
2018201532.tif 000014
【図１２Ｂ】
2018201532.tif 000015
【図１３】
2018201532.tif 000016
【図１４】
2018201532.tif 000017
【図１５】
2018201532.tif 000018
【図１６】
2018201532.tif 000019
【図１７】
2018201532.tif 000020
【図１８】
2018201532.tif 000021
【図１９】
2018201532.tif 000022
【図２０】
2018201532.tif 000023